(57)【要約】 【課題】本発明は積雪時には雨樋８が邪魔にならないように内側へ入れて積雪の影響を受けず、且つ雪の掻き落しも従来同様に行えると共に雪が消えた後は雨樋８を外側に移動させて、屋根からの雨水が確実に排水され、且つその取付作業が簡単であると共に雨樋８の移動も容易である積雪地用雨樋取付部材を提供することを目的とする。【解決手段】ハナカクシ10に取付けるための長尺な取付板１と、該取付板１の両端及び中間に固着させた受板支持部２と、その受板支持部２と一端を固定すると共に雨樋８を移動可能に支持するための樋受板８と、取付板１の上部と一端が取付けられると共に他端が雨樋８の開口に達する長さを有した覆板６とから少なくとも構成する。又、前記取付板１と受板支持部２の代りに、短い取付部及びそれと直角或いは同一平面上で且つ一体に形成した受板固定部とから成る取付金具を多数用意したものとしても良い。【選択図】図１
2006112032.tif 000002
【特許請求の範囲】
【請求項１】
屋根の先端下部に雨樋（８）を配置し、積雪時期には前記雨樋（８）が内側に移動可能なものであり、ハナカクシ（10）に取付けるための長尺な取付板（１）と、該取付板（１）の両端及び中間に固着させた受板支持部（２）と、その受板支持部（２）と一端を固定すると共に前記雨樋（８）を移動可能に支持するための樋受板（３）と、前記取付板（１）の上部と一端が取付けられると共に他端が前記雨樋（８）の開口に達する長さを有した覆板（６）とから少なくとも構成したことを特徴とする積雪地用雨樋取付部材。
【請求項２】
屋根の先端下部に雨樋（８）を配置し、積雪時期には前記雨樋（８）が内側に移動可能なものであり、取付金具（Ａ）を介在して前記雨樋（８）が移動可能に支持するための樋受板（３）をハナカクシ（10）或いは各垂木（13）に取付け、前記取付金具（Ａ）の上部から前記雨樋（８）の開口に達する長さを有した覆板（６）とから少なくとも構成したことを特徴とする積雪地用雨樋取付部材。
【請求項３】
前記取付金具（Ａ）が、ハナカクシ（10）に取付ける取付部（１’）と、該取付部（１’）と直角に折曲させて一体に形成した受板固定部（２’）とから成され、且つ前記取付金具（Ａ）の受板固定部（２’）には、前記樋受板（３）の一端が固定された請求項２記載の積雪地用雨樋取付部材。
【請求項４】
前記取付金具（Ａ）が、垂木（13）に取付ける板状の取付部（１’’）と、該取付部（１’’）と同一平面上に一体に形成した受板固定部（２’）とから成され、且つ前記取付金具（Ａ）の受板固定部（２’）には、前記樋受板（３）の一端が固定された請求項２記載の積雪地用雨樋取付部材。
【請求項５】
前記樋受板（３）には、前記雨樋（８）が幅方向に移動可能で且つ位置決め用の係止部（3b）を両側に有する長穴（3a）が穿設された請求項１又は２記載の積雪地用雨樋取付部材。
【発明の詳細な説明】
【技術分野】
【０００１】
本発明は積雪地用雨樋取付部材、特には玄関に取付けるための積雪地用雨樋取付部材に関する。
【背景技術】
【０００２】
従来、積雪地に於ける屋根には雨樋が取付けられていないものが多い。その理由としては、屋根に積った雪を掻き落す際、雪が雨樋に引掛かり、雨樋が邪魔になると共にその雨樋は破損され易く、且つ、積雪が春先にずれ落ちる時には、雪の重量が雨樋に加わって破損させる事故が多発するためと考えられる。従って、積雪地で雨が降ると、特に人が出入りする玄関に於いては、屋根から雨水が垂れるため、不便を感じているのが現状である。
【０００３】
このため、積雪地であっても、屋根に雨樋が取付けられるものとして、特開平１０−２６６４７６号「軒先屋根材」が提案されている。この構造は略角形の本体の周囲にそれぞれ正面側或いは裏面側に折返して係合片を形成し、その中央の本体部分に複数個の落水孔を形成した軒先屋根材である。又、これを用いて一文字葺屋根などの軒先に雨樋を施工する場合には、軒先の軒樋の上部に多数枚の軒先屋根材を施工して、その下部に軒樋を配置させる。このため、軒先屋根材の中央部分である本体にスリット状の落水孔が設けられており、雨水はその落水孔から下部の軒樋に排水される。また軒樋は外部に出ていないため、積雪などの影響も受けないものであった。
【０００４】
しかしながら特開平１０−２６６４７６号は、外部から軒樋が見えないように隠し、軒先屋根材には中央部分に複数のスリット状の落水孔が設けられ、それを多数並べて組込んで行くため、材料費が多く掛かると共にその施工に手間が掛かっていた。更に屋根材を組込む作業には熟練技能が必要であるため、日曜大工で簡単に施工できるものではなかった。また積雪地に於ける屋根の勾配は急傾斜であるため、雨水が落水孔に流れ込まずにそのまま落下する恐れがあり、且つ降水量が多くなると、そのまま雨水が屋根材に沿って流れてしまうため、雨樋の役目を完全に果せないものであった。更に落水孔に落葉が入り込んで雨樋に溜まると、掃除が難しくなると共に、落葉の一部が落水孔に引掛かり易くなるため、落水孔の目詰まりする恐れがあった。しかも特開平１０−２６６４７６号は既存の軒先に対して、雨樋を配置する際は、軒先を解体させなければならず、そのままの状態では雨樋が配置できないため、コスト高である等の問題点があった。尚、特開平１０−２６６４７６号には、本発明のような雨樋を内側に移動させる発想は何処にも記載がない。
【特許文献１】特開平１０−２６６４７６号公報
【発明の開示】
【発明が解決しようとする課題】
【０００５】
本発明は積雪時には雨樋が邪魔にならないように内側へ入れて積雪の影響を受けず、且つ雪の掻き落しも従来同様に行えると共に雪が消えた後は雨樋を外側に移動させて、屋根からの雨水が確実に排水され、且つその取付作業が簡単であると共に雨樋の移動も容易である積雪地用雨樋取付部材を提供することを目的とする。
【課題を解決するための手段】
【０００６】
本発明は上記問題点を解決するために成されたものであり、つまり、ハナカクシに取付けるための長尺な取付板と、該取付板の両端及び中間に固着させた受板支持部と、その受板支持部と一端を固定すると共に雨樋を移動可能に支持するための樋受板と、取付板の上部と一端が取付けられると共に他端が雨樋の開口に達する長さを有した覆板とから少なくとも構成する。又、前記取付板と受板支持部の代りに、短い取付部及びそれと直角或いは同一平面上で且つ一体に形成した受板固定部とから成る取付金具を多数用意したものとしても良い。更にその樋受板に、雨樋が幅方向に移動可能で且つ位置決め用の係止部を両側に有した長穴を穿設させると良い。
【発明の効果】
【０００７】
請求項１のようにハナカクシ（10）に取付けるための長尺な取付板（１）と、該取付板（１）の両端及び中間に固着させた受板支持部（２）と、その受板支持部（２）と一端を固定すると共に雨樋（８）を移動可能に支持するための樋受板（３）と、取付板（１）の上部と一端が取付けられると共に他端が雨樋（８）の開口に達する長さを有した覆板（６）とから少なくとも構成することにより、少ない部品で雨樋（８）を移動可能に支持出来るものとなるため、製作費が安価になると共に一定の大きさの玄関であれば、ハナカクシ（10）に長尺な取付板（１）を取付けることにより全体の位置が決まるため、日曜大工でも充分に本発明の取付けが簡単に行えるものとなる。更に既存の屋根に対して本発明品は直接に取付けられることが可能である。従って、本発明品を玄関に取付け、積雪時に雨樋（８）を内側へ移動させれば、その雨樋（８）は邪魔にならず、従来同様に雪掻きが行えると共に雪が消えた後は雨樋（８）を外側へ移動させれば、屋根勾配が急で且つ雨量が多い時でも屋根からの雨水が確実に且つ簡単に集められて排水出来るものとなる。又、本発明は玄関以外に設置しても有効であると共に屋根の角度や軒先の構造を問わずに取付けが行えるため、一般の雨樋（８）のように屋根の周リに取付けることも容易である。
【０００８】
請求項２のように取付金具（Ａ）を介在して雨樋（８）が移動可能に支持するための樋受板（３）をハナカクシ（10）或いは各垂木（13）に取付け、取付金具（Ａ）の上部から雨樋（８）の開口に達する長さを有した覆板（６）とから少なくとも構成することにより、ハナカクシ（10）或いは各垂木（13）に取付金具（Ａ）を取付けると共に雨樋（８）を樋受板（３）で移動可能に支持すれば、玄関の大きさに関係なく簡単に対応でき、且つ屋根の周リに雨樋（８）を簡単に取付けると共に積雪時には雨樋（８）が邪魔にならぬように内側に移動させて引き込むことが出来るため、請求項１と同様に既存の屋根に本発明品が直接に取付けられるものとなると共に積雪地にも雨樋（８）が簡単に設置でき、且つ日曜大工で充分に本発明の取付けが可能となる。従って、本発明品は雪掻きに邪魔にならず、雪が消えた後は、屋根勾配が急で且つ雨量が多い時でも配置した雨樋（８）によって、屋根からの雨水が確実に且つ簡単に集められて排水出来るものとなる。更に本発明の部品は長尺なものがないため、部品の運搬や管理がし易く、製造元の部品管理が容易で且つ購入者も必要な雨樋（８）の長さに応じた部品個数を購入し、適宜に取付けることにより、屋根の大きさに応じた雨樋（８）を配置させることが可能となる。更に製作費が請求項１のものよりも安価に提供できるものとなる。
【０００９】
請求項３に示すように取付金具（Ａ）が、ハナカクシ（10）に取付ける取付部（１’）と、該取付部（１’）と直角に折曲させて一体に形成した受板固定部（２’）とから成され、且つ取付金具（Ａ）の受板固定部（２’）には、樋受板（３）の一端を固定させることにより、雨樋（８）が移動可能に支持され、部品の共通化ができ、その部品の種類が減り、製造元の部品管理が容易で且つ購入者も必要な雨樋（８）の長さに応じた部品個数を購入し、適宜に取付けることにより、屋根の大きさに応じた雨樋（８）を配置させることが可能となる。更に部品の量産化が可能となるため、安価に提供できるものとなる。
【００１０】
請求項４に示すように取付金具（Ａ）が、垂木（13）に取付ける板状の取付部（１’’）と、該取付部（１’’）と同一平面上に一体に形成した受板固定部（２’）とから成され、且つ取付金具（Ａ）の受板固定部（２’）には、樋受板（３）の一端を固定させることにより、和風建築の軒下に雨樋（８）が移動可能に支持されるものとなり、且つ請求項３と同様の効果が得られるものとなる。
【００１１】
請求項５のように樋受板（３）に、雨樋（８）が幅方向に移動可能で且つ位置決め用の係止部（3b）を両側に有した長穴（3a）が穿設されることにより、雨樋（８）として平樋を用い、その鍔部を係止部（3b）に係止させることにより、雨樋（８）の位置が容易に決まり、冬場には奥側の係止部（3b）に係止させるように移動し、冬場以外には前側の係止部（3b）に係止させるように移動すれば、誰にでも丁度良い位置に雨樋（８）を配置させることが出来るのである。この時の雨樋（８）の移動の仕方としては、長尺な棒などで雨樋（８）を内側へ押したり、内側から外側へ押すだけの簡単な作業で移動が出来る。
【発明を実施するための最良の形態】
【００１２】
図１は本発明の実施形態を示す図であり、これに基づいて説明する。（１）は屋根の先端下部のハナカクシ（10）に取付けるための長尺な金属製の取付板であり、該取付板（１）の長さは１間分を基本長さとし、ハナカクシ（10）に固定させるための取付穴（1a）が上下で且つ複数穿設されている（図２参照）。尚、前記取付板（１）の長さは１間分に限定されるものではなく、例えば1.5間分や0.5間分としても良い。（２）は取付穴（1a）付近に後端を固着して一体化させた金属板の受板支持部であり、該受板支持部（２）は取付板（１）に対して両端及び中間の３箇所に固着し、また前記受板支持部（２）には、後述する樋受板（３）を固定するための固定穴（2a）が穿設されている（図５参照）。（３）は受板支持部（２）と後端を固定する金属製の樋受板であり、該樋受板（３）には雨樋（８）を幅方向に移動可能に支持するための長穴（3a）が穿設され、その長穴（3a）の両側には位置決め用の係止部（3b）を設けている。また樋受板（３）の後端側には受板支持部（２）に固定するための固定用穴（3c）が穿設され、樋受板（３）の上部中央には当接部（3d）が突起されている（図４参照）。（４）は受板支持部（２）と樋受板（３）を固定させるための六角ボルトとナットから成る固定部材である。（６）は後端が蝶番（５）を介して取付板（１）の上部に取付けられた金属製或いは強化プラスチック製の覆板であり、該覆板（６）の長さは、他端が雨樋（８）の開口の略中央に達する長さとするのが好ましい。また前記取付板（１），受板支持部（２），樋受板（３），覆板（６）の材質としてはステンレス材を用いるのが好ましい。（７）は取付板（１）の取付穴（1a）に挿入して屋根先端下部のハナカクシ（10）などに取付けるためのビスである。（８）は樋受板（３）の長穴（3a）に挿入して幅方向に移動可能に配置するための雨樋であり、該雨樋（８）の下方には図１〜図３に示す排水口（8a）が設けられ、該排水口（8a）は先端部が図２、図３に示すように回転可能な立樋（９）と接続される。尚、前記雨樋（８）としては平樋を用いるのが好ましい。（11）はサンブキ，カラーベスト，瓦などの屋根材である。（12）は野地板で、（13）は垂木で、（14）は下地材であり、（15）は軒天である。
【００１３】
図５は本発明の別実施形態を示す図であり、これは前記実施形態と比べ、取付板（１）と受板支持部（２）の代りに多数の取付金具（Ａ）が用いられ、図５（ａ）は取付金具（Ａ）が、ハナカクシ（10）に取付ける取付部（１’）と、該取付部（１’）と直角に折曲させて一体に形成した受板固定部（２’）とから成されている。この取付金具（Ａ）は前記実施形態の取付板（１）に固定した受板支持部（２）の位置に対応して取付けられて使用する。また前記取付金具（Ａ）の受板固定部（２’）には、前記樋受板（３）の一端が固定されるのである。他の部品は同一である。又、図５（ｂ）は取付金具（Ａ）が、垂木（13）に取付ける板状の取付部（１’’）と、該取付部（１’’）と同一平面上に一体に形成した受板固定部（２’）とから成されている。また受板固定部（２’）には、前記樋受板（３）の一端が固定されるのである。この図５（ｂ）に示す取付金具（Ａ）は和風建築に用いるのに適している。他の部品は前記実施形態と同一である。
【００１４】
次に本発明の取付方法について説明する。先ず始めに本発明品を玄関に取付ける場合について説明する。まず玄関の大きさが１間の場合、図６（ａ）に示すように取付板（１）をハナカクシ（10）に当接させてビス（７）で固定させる。この時、覆板（６）は取付板（１）の上部に予めの蝶番（５）を介して取付けておくと共に両側の受板支持部（２）には、長穴（3a）が水平になるように樋受板（３）を固定しておく。また取付板（１）を固定するに当り、覆板（６）と野地板（12）の隙間はなるべく小さくし、且つ平行になるように固定させる。次に樋受板（３）の一端を中間の各受板支持部（２）に固定部材（４）で仮固定する。そして雨樋（８）を外側の長穴（3a）に挿入して全ての長穴（3a）に挿入するが、長穴（3a）がずれて雨樋（８）が挿入出来ない時には、樋受板（３）を回転して長穴（3a）が雨樋（８）に合うように調節し、雨樋（８）を完全に挿入させるのである。この時、雨樋（８）の長さが不足した場合には途中で接続する。又、雨樋（８）が幅方向に移動でき、且つ雨樋（８）の鍔部が位置決め用の係止部（3b）に係止できることも確認しておく。雨樋（８）の鍔部が係止部（3b）に係止できない時には、樋受板（３）を微調節して係止可能にさせる。確認後、各受板支持部（２）の固定部材（４）を本締めし、樋受板（３）を固定すると共に、覆板（６）を補強するために、取付板（１）の上部及び各樋受板（３）の当接部（3d）に接触している覆板（６）の箇所に金属用の接着剤或いはパテなどの粘着剤を塗布しておくと良い。更に雨樋（８）の両端部に小口止めを取付けると共に雨樋（８）の排水口（8a）には図１〜図３に示すように立樋（９）も配置させれば、雨樋（８）の配置作業は完了する。
【００１５】
次に本発明品を１間半の玄関に取付ける場合について説明する。先ず始めに本発明品を上記要領で１間分のハナカクシ（10）に取付ける。そして残りの半間分については、図５（ａ）に示す取付金具（Ａ）を用いる。先ず使用する数の取付金具（Ａ）の各受板固定部（２’）に固定部材（４）で樋受板（３）の一端を固定しておくと良い。この時、樋受板（３）の右下の斜辺が、受板固定部（２’）の下辺と一直線上になるように固定させる。そして雨樋（８）を樋受板（３）の長穴（3a）に挿入させ、ハナカクシ（10）に定間隔でビス（７）によって取付金具（Ａ）を固定させる（図１参照）。この時には、雨樋（８）の動きを確認しながら、更に雨樋（８）の幅方向に移動可能であると共に雨樋（８）の鍔部が位置決め用の係止部（3b）に挿入できることも確認した後、取付金具（Ａ）の取付部（１’）にビス（７）を通してハナカクシ（10）に固定するが、雨樋（８）の移動や係止状態が悪い場合は、固定部材（４）を緩めて調節する。次に半間分の覆板（６）を用意し、取付部（１’）の上部及び各樋受板（３）の当接部（3d）に接触している覆板（６）の箇所及び覆板（６）の隣合う箇所に接着剤或いはパテなどの粘着剤を塗布して、覆板（６）を固定させる。その後、１間の玄関の時と同様に雨樋（８）の両端部に小口止めを取付けると共に雨樋（８）の排水口（8a）に立樋（９）も配置させれば、雨樋（８）の配置作業は完了する。尚、本発明品の取付方法は上記方法に限定されるものではない。
【００１６】
更に本発明品を２間の玄関に取付ける場合について説明する。先ず始めに１間用の本発明品を右側に取付け、その後に、同様にして１間用の本発明品を左側に取付けると、図６（ｃ）に示すように取付けられる。この時、取付板（１）を固定するに当り、覆板（６）と野地板（12）の隙間はなるべく小さくし、且つ平行になるように固定させると共に覆板（６）の隣合う箇所の隙間をなるべく小さくする。次に樋受板（３）の一端を各受板支持部（２）に固定部材（４）で仮固定すると共に雨樋（８）を樋受板（３）の長穴（3a）に挿入させ、且つ幅方向に移動可能であると共に雨樋（８）の鍔部が位置決め用の係止部（3b）に挿入できることも確認しながら、各受板支持部（２）の固定部材（４）を本締めして固定させる。更に覆板（６）を補強するために、１間用の場合と同様に取付板（１）の上部及び各樋受板（３）の当接部（3d）に接触している覆板（６）の箇所に金属用の接着剤或いはパテなどの粘着剤を塗布し、その後、雨樋（８）の両端部に小口止めを取付けると共に雨樋（８）の排水口（8a）には図１〜図３に示すように立樋（９）も配置させれば、雨樋（８）の配置作業は完了する。尚、前記取付板（１）と受板支持部（２）の代りに、図５（ａ）の取付金具（Ａ）を用いても良い。
【００１７】
次に本発明品を和風建築の玄関に取付ける場合について説明する。先ず始めに図５（ｂ）に示す取付金具（Ａ）を複数用意する。それを各垂木（13）に固定する。この時、取付金具（Ａ）の板状の取付部（１’’）を、各垂木（13）の側面にビス（７）で固定させる（図７参照）。又、この時、取付部（１’’）の取付ける位置が一定になるようにマーキングしておくと良い。そして取付金具（Ａ）の各受板固定部（２’）に樋受板（３）の一端を固定部材（４）で仮固定する。その後、雨樋（８）を外側の長穴（3a）に挿入して全ての長穴（3a）に挿入させるが、長穴（3a）がずれて雨樋（８）が挿入出来ない時には、樋受板（３）を回転して長穴（3a）が雨樋（８）に合うように調節し、それでも合わぬ時には取付部（１’’）をずらして再固定させ、雨樋（８）を完全に挿入させるのである［図６（ｄ）参照］。この時、雨樋（８）の長さが不足した場合には途中で接続する。又、雨樋（８）が幅方向に移動でき、且つ雨樋（８）の鍔部が位置決め用の係止部（3b）に係止できることも確認しておく。確認後、各受板固定部（２’）の固定部材（４）を本締めして固定すると共に、所定長さの覆板（６）を蝶番（５）が介在されて垂木（13）の正面に固定し、且つ垂木（13）や各樋受板（３）の当接部（3d）に接触している箇所に接着剤或いはパテなどの粘着剤が塗布されて覆板（６）を固定させる。更に雨樋（８）の両端部に小口止めを取付けると共に雨樋（８）の排水口（8a）に立樋（９）も配置させれば、雨樋（８）の配置作業は完了する。
【００１８】
図８は本発明品が急傾斜の屋根に取付けられた状態を示す図であり、この図に基づいて説明する。予め各受板支持部（２）には、その下辺と樋受板（３）の長穴（3a）が水平になるように固定部材（４）で樋受板（３）を固定しておく。先ず始めに本発明品の覆板（６）が野地板（12）の裏面に密着し且つ樋受板（３）の当接部（3d）に接触するように、取付板（１）の高さを決めて、ハナカクシ（10）に取付板（１）をビス（７）で固定させる。固定後、雨樋（８）を外側の長穴（3a）に挿入して全ての長穴（3a）に挿入するが、長穴（3a）がずれて雨樋（８）が挿入出来ない時には、固定部材（４）を緩め、樋受板（３）を回転して長穴（3a）が雨樋（８）に合うように調節し、雨樋（８）を全ての長穴（3a）に挿入させるのである。この時、雨樋（８）の長さが不足した場合には途中で接続し、雨樋（８）の移動やその鍔部が係止部（3b）に係止できることを確認する。確認後、固定部材（４）を締め直して樋受板（３）は受板支持部（２）に固定されるのである。そして所定長さの覆板（６）をハナカクシ（10）に当接させて接着すると共に野地板（12）の裏にも接着剤を塗布して接着させ、且つ各樋受板（３）の当接部（3d）に接触している箇所にも接着剤或いはパテなどの粘着剤を塗布して固定させる。更に雨樋（８）の両端部に小口止めを取付けると共に雨樋（８）の排水口（8a）に立樋（９）も配置させておけば良い。尚、前記覆板（６）の取付強度が心配な時には、取付板（１）及び受板支持部（２）の上面と覆板（６）の間に図示しない固定板や支持板をハナカクシ（10）に固定させると良い。
【００１９】
次に本発明の作用について説明する。先ず始めに本発明品が図１、図７、図８に示すように屋根の軒先に取付け、雨樋（８）は樋受板（３）の長穴（3a）の外側に寄せて雨樋（８）の鍔部が係止部（3b）に係止させておくことにより、雪が解けて積雪がなくなった時期には、通常の雨樋（８）として使用出来るものとなる。一方、雪が降り、積雪する時期になると、本発明品は、図６の図中に示す矢印のように、長い棒などで雨樋（８）を内側に押すと、雨樋（８）は樋受板（３）の長穴（3a）に沿って移動し、雨樋（８）の鍔部が奥の係止部（3b）に係止されるのである。この時、立樋（９）は雨樋（８）の排水口（8a）から全体を下げその先端部が外され、且つ立樋（９）の先端部を図２、図３に示すように約９０度回転させて壁側に収納しておくと良い。すると、軒先には雨樋（８）が隠れる。この状態で雪が屋根に積もり、雪掻きをする際には、積雪した重量のある雪が下方に滑り落ちると、突出する樋受板（３）に雪が接触するが、この時には樋受板（３）の板厚分だけが雪に接触するため、刃物で雪を切断する状態となり、殆ど抵抗なく雪が落下されるのである。
【００２０】
このように図７に示す和風建築の屋根や図８に示す洋風の急傾斜の屋根であっても、本発明品を使用すれば、軒下を解体することなく取付作業が行え、且つ、雨樋（８）を配置させることが出来るものとなる。又、図６に示すように玄関の広さが１間，１間半，２間以上であっても対応でき、更に玄関以外の軒下にも簡単に雨樋（８）が配置出来るものとなる。
【図面の簡単な説明】
【００２１】
【図１】本発明の実施形態の要部を示す説明図である。
【図２】本実施形態の覆板が取付けられる前の組立て状態を示す斜視図である。
【図３】本実施形態が組立てられる状態を示す斜視図である。
【図４】本実施形態の樋受板を示す説明図である。
【図５】別実施形態の取付金具を示す斜視図である。
【図６】本発明品が取付けられる状態を示す説明図である。
【図７】本発明品が和風建築の屋根に取付けられる状態示す説明図である。
【図８】本発明品が急傾斜の屋根に取付けられる状態を示す説明図である。
【符号の説明】
【００２２】
１  取付板
Ａ  取付金具
１’，１’’  取付部
２  受板支持部
２’  受板固定部
３  樋受板
3a  長穴
3b  係止部
６  覆板
８  雨樋
10  ハナカクシ
13  垂木
【図１】
2006112032.tif 000003
【図２】
2006112032.tif 000004
【図３】
2006112032.tif 000005
【図４】
2006112032.tif 000006
【図５】
2006112032.tif 000007
【図６】
2006112032.tif 000008
【図７】
2006112032.tif 000009
【図８】
2006112032.tif 000010